(57)【要約】【課題】仕切りが設けられたゴルフ用キャディバッグであって、ゴルフクラブが絡まり難いゴルフ用キャディバッグを提供する。【解決手段】胴部材２０と、該胴部材２０内に配される少なくとも２つの仕切面材３１，３２と、底部材５０とを有するゴルフ用キャディバッグ１０であって、胴部材２０の高さ方向に沿って、２つの仕切面材３１，３２が互いに接しており、２つの仕切面材３１，３２が底部材５０と直接又は間接に接続されている。【選択図】図１
0003195447.tif 000002
【実用新案登録請求の範囲】
【請求項１】
胴部材と、該胴部材内に配される少なくとも２つの仕切面材と、底部材とを有するゴルフ用キャディバッグであって、
前記胴部材の高さ方向に沿って、前記２つの仕切面材が互いに接しており、
前記２つの仕切面材が前記底部材と直接又は間接に接続されていることを特徴とするゴルフ用キャディバッグ。
【請求項２】
前記胴部材の高さ方向において、前記２つの仕切面材のうち上側にある仕切面材の下端と、前記底部材の上端との距離が、前記胴部材の高さの半分以下である請求項１に記載のゴルフ用キャディバッグ。
【請求項３】
前記胴部材の高さ方向において、前記２つの仕切面材のうち上側にある仕切面材の下端と、前記底部材の上端との距離が１０ｃｍ以下である請求項１または２に記載のゴルフ用キャディバッグ。
【請求項４】
前記２つの仕切面材は互いに縫合されている請求項１〜３のいずれか１項に記載のゴルフ用キャディバッグ。
【請求項５】
前記仕切面材が少なくとも３つ設けられて、
第１仕切面材の縁部が第２仕切面材の一方主面に接合されており、
第３仕切面材の縁部が第２仕切面材の他方主面に接合されている請求項１〜４のいずれか１項に記載のゴルフ用キャディバッグ。
【請求項６】
前記仕切面材と前記底部材とは、前記仕切面材よりも幅狭の接続部材を介して接続されている請求項１〜５のいずれか１項に記載のゴルフ用キャディバッグ。
【請求項７】
前記２つの仕切面材が、前記胴部材の内側面と接続されている請求項１〜６のいずれか１項に記載のゴルフ用キャディバッグ。
【考案の詳細な説明】
【技術分野】
【０００１】
本考案はゴルフ用キャディバッグに関するものであり、詳細には、仕切りを有するゴルフ用キャディバッグに関するものである。
【背景技術】
【０００２】
従来から、ゴルフクラブを種類毎に分けて収納するために、収納部に仕切りが設けられたゴルフバッグが開発、製造されている。例えば、特許文献１に開示されたキャディバッグでは、底部を有する略長方形の筒状に形成したセパレーターを収納部に挿入し、セパレーターの一方の対向する各壁が収容部を仕切り、他方の対向する各壁が収容部内面に接するようにし、さらに、セパレーターの上端部および底部を収容部に固定している。また、特許文献１には、キャディバッグのセパレーターの一方の対向する各壁の少なくとも１つに通し孔を設け、この通し孔に補助セパレーターを挿入可能にしてもよいことが記載されている。
【先行技術文献】
【特許文献】
【０００３】
【特許文献１】特開平９−１８２８２１号公報
【考案の概要】
【考案が解決しようとする課題】
【０００４】
しかしながら、特許文献１に記載されたキャディバッグの補助セパレーターは、セパレーターの壁に設けられた通し孔に挿入されているだけであり、底部まで仕切りが設けられるものではない。このため、キャディバッグにゴルフクラブを差し込んだ場合に、クラブ同士がキャディバッグの収容部内で絡まり合って、ゴルフクラブを取り出しにくいという問題があった。
本考案は前記事情に鑑みてなされたものであり、その目的は、仕切りが設けられたゴルフ用キャディバッグであって、ゴルフクラブが絡まり難いゴルフ用キャディバッグを提供することにある。
【課題を解決するための手段】
【０００５】
前記課題を解決することができた本考案のゴルフ用キャディバッグは、胴部材と、胴部材内に配される少なくとも２つの仕切面材と、底部材とを有するゴルフ用キャディバッグであって、胴部材の高さ方向に沿って、２つの仕切面材が互いに接しており、２つの仕切面材が底部材と直接又は間接に接続されているところに特徴を有する。本考案のゴルフ用キャディバッグには互いに接する２つの仕切面材が設けられて胴部材内が区分けされているため、ゴルフクラブの種類毎に収納が可能である。また、本考案のゴルフ用キャディバッグは仕切面材を底部材と接続することにより、胴部材の高さ方向において、ゴルフクラブの出し入れ口から底部材にわたって仕切りが設けられるため、キャディバッグ内でゴルフクラブが絡まることを防止できる。
【０００６】
胴部材の高さ方向において、２つの仕切面材のうち上側にある仕切面材の下端と、底部材の上端との距離が、胴部材の高さの半分以下であることが好ましい。胴部材の高さ方向において、上側にある仕切面材の下端と、底部材の上端との距離が小さければ小さいほど、仕切面材が設けられない部分でゴルフクラブ同士が絡まることを防止できる。
【０００７】
胴部材の高さ方向において、２つの仕切面材のうち上側にある仕切面材の下端と、底部材の上端との距離が１０ｃｍ以下であることが好ましい。胴部材の高さ方向において、上側にある仕切面材の下端と、底部材の上端との距離が１０ｃｍ以下であればゴルフクラブの絡まり防止の効果を高めることができる。
【０００８】
２つの仕切面材は互いに縫合されていることが好ましい。キャディバッグ内にゴルフクラブを繰り返し出し入れしても、仕切面材同士の接続が解かれにくいため、キャディバッグの修理回数や修理に要するコストを減少することができる。
【０００９】
仕切面材が少なくとも３つ設けられて、第１仕切面材の縁部が第２仕切面材の一方主面に接合されており、第３仕切面材の縁部が第２仕切面材の他方主面に接合されていることが好ましい。仕切面材が多ければ多いほど、キャディバッグ内に設けられる区画の数は多くなるため、キャディバッグ内の区画の数を増やしたい場合に有利である。また、仕切面材の縁部を他の仕切面材に接合すれば、仕切面材の縁部の処理と仕切面材同士の接合を兼ねることができる。
【００１０】
仕切面材と底部材とは、仕切面材よりも幅狭の接続部材を介して接続されていることが好ましい。底部材との接合箇所を少なくすることができるため、キャディバッグの製造を容易にすることができる。
【００１１】
２つの仕切面材が、胴部材の内側面と接続されていることが好ましい。仕切面材と胴部材の内側面との間にゴルフクラブが挟まることを防止できる。
【考案の効果】
【００１２】
本考案のゴルフ用キャディバッグは、胴部材と、胴部材内に配される少なくとも２つの仕切面材と、底部材とを有するゴルフ用キャディバッグであって、胴部材の高さ方向に沿って、２つの仕切面材が互いに接しており、２つの仕切面材が底部材と直接又は間接に接続されている。このため、ゴルフクラブの種類毎に収納が可能であり、またキャディバッグ内でゴルフクラブ同士が絡まることを防止できる。
【図面の簡単な説明】
【００１３】
【図１】図１は、本考案の実施の形態１に係るゴルフ用キャディバッグの一部切り欠き斜視図である。
【図２】図２は、本考案の実施の形態２に係るゴルフ用キャディバッグの斜視図である。
【図３】図３は、本考案の実施の形態２に係るゴルフ用キャディバッグの仕切面材の接続方法を示す断面図であり、図３（ａ）は２つの縫合糸を用いる場合の断面図であり、図３（ｂ）は１つの縫合糸を用いる場合の断面図であり、図３（ｃ）は接着剤を用いる場合の断面図である。
【図４】図４は、本考案のゴルフ用キャディバッグの仕切面材の別の配置方法を示す断面図である。
【図５】図５は、本考案の実施の形態３に係るゴルフ用キャディバッグの斜視図である。
【図６】図６は、本考案の実施の形態４に係るゴルフ用キャディバッグの斜視図である。
【考案を実施するための形態】
【００１４】
本考案のゴルフ用キャディバッグは、胴部材と、胴部材内に配される少なくとも２つの仕切面材と、底部材とを有するゴルフ用キャディバッグであって、胴部材の高さ方向に沿って、２つの仕切面材が互いに接しており、２つの仕切面材が底部材と直接又は間接に接続されている。本考案のゴルフ用キャディバッグには仕切面材が設けられているため、ゴルフクラブの種類毎に収納が可能であり、また、仕切面材が底部材と接続されているため、キャディバッグ内でゴルフクラブが絡まることを防止できる。
【００１５】
ゴルフ用キャディバッグは、ゴルフの練習やラウンドのときに、ゴルフクラブを収納し、携行するためのものである。ゴルフ用キャディバッグは、胴部材と、胴部材内に配される少なくとも２つの仕切面材と、底部材とを有する。
【００１６】
本考案においてゴルフ用キャディバッグおよび胴部材の上下方向（高さ方向）は、ゴルフクラブを出し入れする出し入れ口側を上側、地面側を下側と定義する。
【００１７】
胴部材とは、ゴルフクラブのヘッド部が上、グリップ部が下となる向きで、複数のゴルフクラブを立てた状態で収納するために、ゴルフクラブのグリップおよびシャフトを取り囲むように覆う部材である。胴部材は筒状に形成されるものであり、胴部材の高さ方向と直交する方向から見たときの形状は、収納するゴルフクラブの本数に応じた任意の大きさの円、楕円、多角形などにすることができる。胴部材の素材としては、ゴルフクラブを複数本収納しても変形しない程度の剛性を有していればよく、例えばポリプロピレン、ポリエチレン等を採用することができる。
【００１８】
胴部材の保護や収納容量の増大、意匠性の観点から胴部材の外側面には外装材を設けることもできる。もちろん胴部材の一部にのみ外装材を設けることもできるが、この場合は胴部材の一部が外に露出して日光、雨等にさらされることから、胴部材には耐水性および耐候性の高いプラスチック材料を用いることが好ましい。さらに、胴部材の一部にのみ外装材を設ける場合に胴部材内に収納されるゴルフクラブが外から見えるように、胴部材の材料として可視光の透過性が高い素材を用いることも好ましい。外装材には、例えば雨具、ゴルフボール、又は手袋等のゴルフ用具等を収納するポケットや、取手等を設けてもよい。外装材の素材としては、防水処理を施したキャンバス地又はナイロン地等の織物や、合成皮革や樹脂シート等を採用できる。
【００１９】
ゴルフクラブを胴部材内に収納したときに、ゴルフクラブに傷が付くことを防止するために、胴部材の内側面に内装材が設けられることも好ましい。内装材の素材としては、後述する仕切面材と同様の素材を用いることができる。
【００２０】
ゴルフクラブを出し入れするときに、ゴルフクラブに傷が付くことを防止する観点から、胴部材の高さ方向において、仕切面材の上側に弾性部材が設けられることも好ましい。弾性部材は、胴部材よりも高い弾性を有していればよく、例えばポリウレタン発泡体やウレタン発泡体等を用いることができる。
【００２１】
底部材は、胴部材の下側に設けられるものであり、ゴルフクラブが地面に直接触れないように支える受け皿としての機能を有する。底部材は、ゴルフクラブを立てた状態で所望の本数のゴルフクラブのグリップが収まる大きさを有していればよい。ゴルフ用キャディバッグを胴部材の高さ方向と直交する断面から底部材を見たときの形状は、胴部材と略同じであることが好ましく、例えば、円、楕円、正方形、長方形などの形状を挙げることができる。底部材の素材は、ゴルフクラブを複数本収納しても変形しない程度の剛性を有していればよく、例えばポリプロピレン、ポリエチレン等を採用することができる。なお、底部材は胴部材よりも高い剛性を有していることがより好ましい。
【００２２】
上述した胴部材と底部材を接続すると有底円筒形や有底角筒形などの形状になり、ゴルフ用キャディバッグの収納部として機能する。ゴルフのプレー時には、ドライバー、スプーン、バフィー、３〜９番アイアン、サンドウェッジ、アプローチウェッジ、ピッチングウェッジ、パターなどの様々なゴルフクラブが使い分けられる。このため、ゴルフクラブの種類毎に分類して収納できるように、ゴルフ用キャディバッグの内部、つまり収納部は仕切面材により複数の区画に分けられることが望ましい。胴部材と底部材との接続方法は特に限定されず、例えばビスやカシメなどを用いることができる。
【００２３】
本考案のゴルフ用キャディバッグは、少なくとも２つの仕切面材が胴部材内に配されて、胴部材の高さ方向に沿って、この２つの仕切面材が互いに接している。仕切面材とは、ゴルフ用キャディバッグの胴部材を区分けするための面を有する、板状、布状、シート状の部材である。胴部材の高さ方向に沿って少なくとも２つの仕切面材が互いに接することにより、胴部材内に少なくとも３つの区画が形成される。このように胴部材内を区分けすることができるため、ゴルフクラブを種類毎に分類して収納することが可能である。
容易に製造を行うために、仕切面材は長手方向と短手方向を有する長方形であることが好ましい。この場合、仕切面材の長手方向と胴部材の高さ方向が一致するように胴部材内に配されることが好ましい。
【００２４】
少なくとも２つの仕切面材は、胴部材の高さ方向に沿って互いに接していればよく、仕切面材同士の位置関係は特に限定されるものではない。例えば、２つの仕切面材が設けられるゴルフ用キャディバッグを上から見たときに、一方の仕切面材を胴部材の高さ方向（Ｚ軸方向）と直交する一方向（Ｘ軸方向）に沿って配置し、他方の仕切面材をＺ軸方向およびＸ軸方向に直交する方向（Ｙ軸方向）に沿って配置することができる。
【００２５】
仕切面材が互いに接するとは、仕切面材同士が接続されていることを意味し、例えば、面ファスナー、線ファスナー、スナップボタン、接着剤、縫合などにより仕切面材同士が固定されていることを指す。特に２つの仕切面材は縫合により互いに接合されていることが好ましい。キャディバッグにゴルフクラブを繰り返し出し入れしても、仕切面材同士の接合が解かれにくいため、キャディバッグの修理回数や修理に要するコストを減少することができる。
【００２６】
仕切面材同士は必ずしも連続的に固定されている必要はなく、断続的に固定されていてもよい。断続的に固定されているとは、２つの仕切面材が互いに接する部分で飛び飛びに固定されていることを指し、例えば、面ファスナー、線ファスナー、スナップボタンが所定の間隔に配置される、あるいは所定の間隔で接着剤による接着や縫合がなされることを意味する。
【００２７】
仕切面材が少なくとも３つ設けられて、第１仕切面材の一部が第２仕切面材の一方主面に接合されており、第３仕切面材の一部が第２仕切面材の他方主面に接合されていることが好ましい。仕切面材が多ければ多いほど、キャディバッグ内の区画を多くすることができる。
【００２８】
仕切面材が少なくとも３つ設けられて、第１仕切面材の縁部が第２仕切面材の一方主面に接合されており、第３仕切面材の縁部が第２仕切面材の他方主面に接合されていることが好ましい。仕切面材の縁部を他の仕切面材に接合すれば、仕切面材の縁部の処理と仕切面材同士の接合を兼ねることができる。
【００２９】
また、仕切面材が少なくとも３つ設けられて、第１仕切面材の短手方向における中央部が第２仕切面材の一方主面に接合されており、第３仕切面材の短手方向における中央部が第２仕切面材の他方主面に接合されていることも好ましい。ここで、仕切面材の短手方向における中央部とは、例えば長方形の仕切面材を短手方向において３分割したときの中央部分とすることができる。このように仕切面材の短手方向の中央部を他の仕切面材に接合させれば、仕切面材の数が少ない場合であっても胴部材内での区画数を多くすることができる。
【００３０】
仕切面材の素材は、引っ張りや引き裂きに強く、防水性、耐水性、防汚性がよく、また、ゴルフクラブに傷が付かないことが好ましい。例えば、ナイロン、ポリエステル、ビニロン、塩化ビニリデン、塩化ビニル等の合成繊維の織布を用いることができる。また、仕切面材には防水処理や撥水処理を施された素材を用いることもできる。
【００３１】
また、本考案のゴルフ用キャディバッグの２つの仕切面材は、底部材と直接又は間接に接続されている。このため、ゴルフクラブを収納したときに胴部材の高さ方向と直交する方向における仕切面材の位置がずれてゴルフクラブが所定の位置から移動し、ゴルフクラブ同士が絡まるのを防止することができる。
【００３２】
仕切面材と底部材との接続方法は特に限定されず、上述した仕切面材同士の接合と同様に、例えば、面ファスナー、線ファスナー、スナップボタン、接着剤、縫合などにより接続することができる。
【００３３】
２つの仕切面材が底部材と直接に接続されているとは、少なくとも１つの仕切面材が、直接底部材と接続されていることを指す。一方で、２つの仕切面材が底部材と間接に接続されているとは、少なくとも１つの仕切面材が、仕切面材および底部材以外の部材を介して底部材と接続されていることを指す。２つの仕切面材のうち、一方の仕切面材が底部材と直接に接続されて、他方の仕切面材が底部材と間接に接続されている場合は、そのゴルフ用キャディバッグの仕切面材は、底部材と直接に接続されているものとみなす。
【００３４】
仕切面材と底部材とを直接に接続すれば、キャディバッグの構造を単純化できるというメリットがある。また、上述したように底部材にはある程度の強度が求められるため、底部材は厚手の場合が多く、他部材との接合が困難な場合もある。このため、仕切面材と底部材とは接続部材を介して間接に接続されることも好ましい。
【００３５】
仕切面材と底部材とは、仕切面材よりも幅狭の接続部材を介して接続されていることが好ましい。これにより底部材と他の部材との接合箇所を少なくすることができるため、製造に要するコストや工程数を少なくすることができる。
【００３６】
胴部材の高さ方向において、２つの仕切面材のうち上側にある仕切面材の下端と、底部材の上端との距離が、胴部材の高さの半分以下であることが好ましい。胴部材の高さ方向において、上側にある仕切面材の下端と、底部材の上端との距離が小さければ小さいほど、仕切面材が設けられない部分でゴルフクラブ同士が絡まることを防止できる。
【００３７】
胴部材の高さ方向において、２つの仕切面材のうち上側にある仕切面材の下端と、底部材の上端との距離が１０ｃｍ以下であることが好ましい。このように仕切面材を設ければ、仕切面材を超えて一方の区画から他方の区画にゴルフクラブが入るのを防止することができる。胴部材の高さ方向において、上側にある仕切面材の下端と、底部材の上端との距離が１０ｃｍ以下であれば、ゴルフクラブ同士の絡まり防止の効果を高めることができる。胴部材の高さ方向において、上側にある仕切面材の下端と、底部材の上端との距離は、７ｃｍ以下であることがより好ましく、５ｃｍ以下であることがさらに好ましい。
【００３８】
接続部材には引っ張り強度が高い材料を用いることが好ましい。接続部材には、例えば、帆布、キャンバス地などを用いることができる。
【００３９】
また、接続部材として仕切面材よりも弾性率の高い素材を用いることも好ましい。接続部材が高い弾性率を有していれば、ゴルフクラブと仕切面材が接触して仕切面材に力が付与された場合であっても接続部材が伸び縮みするため、仕切面材が破れることを防止できる。接続部材には、例えば、ゴムなどの弾性材料が編み込まれた織布などを用いることができる。
【００４０】
少なくとも２つの仕切面材が、胴部材の内側面と接続されていることも好ましい。仕切面材には張力が付与されるため、仕切面材が胴部材内で弛むのを防止できる。このため、仕切面材と胴部材の内側面との間にゴルフクラブが挟まることを防止できる。仕切面材と胴部材の内側面とを直接接続する場合には、例えばビスやカシメなどを用いることができる。また、内装材を介して仕切面材と胴部材の内側面とを接続する場合には、例えば面ファスナー、線ファスナー、スナップボタン、接着剤、縫合などを用いることができる。
【００４１】
（実施の形態１）
図１は、実施の形態１に係る本考案のゴルフ用キャディバッグ１０の一部切り欠き斜視図である。ゴルフ用キャディバッグ１０は、胴部材２０と、胴部材２０内に配される２つの仕切面材３０である第１仕切面材３１と第２仕切面材３２と、底部材５０を有する。また、胴部材２０の外側面には、胴部材２０を保護するとともに収納容量を増大するために外装材１５が設けられている。なお、図１では、ゴルフ用キャディバッグ１０の構造を可視化するために外装材１５の一部を省略して記載している。
【００４２】
図１では胴部材２０の高さ方向（Ｚ軸方向）に沿って、第１仕切面材３１と第２仕切面材３２が接合部４０で互いに接するように、胴部材２０の上端から下端まで連続的に縫合されている。このように接合部４０が連続的に設けられれば、例えば、ある区画にゴルフクラブを収納するときに、仕切面材３１，３２同士が接合されていない部分を通って、ゴルフクラブが別の区画に誤って入ってしまうことを防止できる。
【００４３】
図１では、第１仕切面材３１はＹＺ面方向に配置され、第２仕切面材３２はＸＺ面方向に配置されている。このように胴部材２０内に第１仕切面材３１と第２仕切面材３２を配置することにより、胴部材２０内は３つの区画に分けられる。また、第１仕切面材３１の下端と第２仕切面材３２の下端は底部材５０に直接に縫合されて固定されている。このように、胴部材内に仕切面材が配されているため、区画を越えてゴルフクラブが絡まることがない。なお、図１では胴部材２０の上端に弾性部材７０が固定されて、弾性部材７０の下部に第１仕切面材３１と第２仕切面材３２が接続されている。
【００４４】
（実施の形態２）
図２は、本考案の実施の形態２に係るゴルフ用キャディバッグ１１の斜視図である。なお、実施の形態１のゴルフ用キャディバッグ１０と同様の構成要素には同一の番号を付し、その説明を省略する。ゴルフ用キャディバッグ１１は、胴部材２０と、胴部材２０内に配される３つの仕切面材３０である第１仕切面材３１、第２仕切面材３２、第３仕切面材３３と、底部材５０を有する。胴部材２０の高さ方向（Ｚ軸方向）に沿って、第１仕切面材３１、第２仕切面材３２、第３仕切面材３３が配される。第１仕切面材３１、第２仕切面材３２、第３仕切面材３３のＺ軸方向における長さは略同じである。仕切面材３０と底部材５０は接続部材６０を介して接続されているため、胴部材２０の下側には仕切面材３０によって区画されない空間ができる。
【００４５】
仕切面材３０同士の接続方法の一例は図３を用いて後述するが、本考案の実施の形態２に係るゴルフ用キャディバッグ１１は、第１仕切面材３１と第３仕切面材３３が第２仕切面材３２を挟むように配置されている。詳細には、第２仕切面材３２の短手方向の一辺がＸ軸方向に沿って配置されて、Ｘ軸方向と直交する向き（Ｙ軸方向）に沿って第１仕切面材３１の短手方向の一辺と第３仕切面材３３の短手方向の一辺が配置されている。
【００４６】
第２仕切面材３２の下端３２ｂは、接続部材６０の上部６０ａと接続され、接続部材６０の下部６０ｂは底部材５０と接続されている。したがって、実施の形態２に係るゴルフ用キャディバッグ１１では、第１仕切面材３１と第３仕切面材３３には接続部材６０は接続されず、第２仕切面材３２のみが接続部材６０を介して底部材５０と固定されている。図２では第１仕切面材３１と第２仕切面材３２と第３仕切面材３３は、胴部材２０の高さ方向に略同じ長さを有しているが、それぞれ異なる長さであってもよい。仕切面材３０と底部材５０を固定する工程を容易にするために接続部材６０を用いることができるが、本実施の形態２のように仕切面材３０の下端３０ｂ（第１仕切面材３１の下端３１ｂ、第２仕切面材３２の下端３２ｂ、第３仕切面材３３の下端３３ｂ）から底部材５０の上端までの高さ（ＨＢ）は、胴部材５０の高さ（ＨＷ）の半分以下であることが好ましい。
【００４７】
図３は、本考案の実施の形態２に係るゴルフ用キャディバッグ１１に設けられる仕切面材３０の胴部材２０の高さ方向と直交する方向の断面図である。図３では、第１仕切面材３１と第３仕切面材３３で第２仕切面材３２を挟むように配置され、第１仕切面材３１の縁部３１ｃが第２仕切面材３２の一方主面３２ｍに接合されており、第３仕切面材３３の縁部３３ｃが第２仕切面材３２の他方主面３２ｎに接合されている。
【００４８】
図３（ａ）に示すように、二種類の縫合糸４１ａ，４１ｂによって仕切面材同士を接続する場合には、第１仕切面材３１と第２仕切面材３２の接合と、第２仕切面材３２と第３仕切面材３３の接合のいずれを先に行ってもよく、接合工程の順序に制限はない。
【００４９】
図３（ｂ）に示すように、第１仕切面材３１と第２仕切面材３２と第３仕切面材３３とが同じ縫合糸４１ｃにより接合されることも好ましい。つまり、第１仕切面材３１と第２仕切面材３２と第３仕切面材３３を一つの工程で接合することが好ましい。これにより、仕切面材の製造に要する時間を削減することができる。
【００５０】
図３（ｃ）に示すように、第１仕切面材３１と第２仕切面材３２と、第２仕切面材３２と第３仕切面材３３とがそれぞれ接着層４２を介して接合されることも好ましい。
【００５１】
図２、図３を用いて説明した本考案の実施の形態２では、第１仕切面材３１と第３仕切面材３３の縁部３１ｃ，３３ｃを第２仕切面材３２の一方主面３２ｍ，他方主面３２ｎにそれぞれ接合したが、もちろん仕切面材の縁部以外の部分を他の仕切面材に接合することもできる。図４に、本考案のゴルフ用キャディバッグの仕切面材の別の配置方法を示す断面図を示す。
【００５２】
図４では、第１仕切面材３１と第３仕切面材３３で第２仕切面材３２を挟むように配置され、第１仕切面材３１の短手方向における中央部３１ｅが第２仕切面材３２の一方主面３２ｍに縫合糸４１ｄにより接合されており、第３仕切面材３３の短手方向における中央部３３ｅが第２仕切面材３２の他方主面３２ｎに縫合糸４１ｄにより接合されている。図４では、３つの仕切面材を用いて６つの区画を形成している。このように第１仕切面材３１，第３仕切面材３３の短手方向の中央部３１ｅ，３３ｅを第２仕切面材の一方主面３２ｍ，他方主面３２ｎにそれぞれ接合させることで、胴部材２０内の区画数を多くすることができる。
【００５３】
（実施の形態３）
図５には、本考案の実施の形態３に係るゴルフ用キャディバッグ１２を示す。図５では図２と同様にゴルフ用キャディバッグの外側面に設けられる外装材を省略している。ゴルフ用キャディバッグ１２は、胴部材２０と、胴部材２０内に配される２つの仕切面材３０である第１仕切面材３１、第２仕切面材３２と、底部材５０を有する。なお、実施の形態１のゴルフ用キャディバッグ１０と同様の構成要素には同一の番号を付し、その説明を省略する。
【００５４】
図５では胴部材２０の高さ方向（Ｚ軸方向）に沿って、２つの仕切面材、第１仕切面材３１と第２仕切面材３２が接合部４０で接しており、Ｚ軸方向において第１仕切面材３１よりも第２仕切面材３２が長いため、Ｚ軸方向における第１仕切面材３１の下端３１ｂが第２仕切面材３２の下端３２ｂよりも上に位置している。従って図５の場合において２つの仕切面材３０のうち上側にある仕切面材とは、第１仕切面材３１のことを意味する。前記２つの仕切面材のうち上側にある第１仕切面材３１の下端３１ｂと、底部材５０の上端との距離ＨＢが、胴部材の高さＨＷの半分以下、つまりＨＢ≦ＨＷ／２であれば、仕切面材３０が設けられない第１仕切面材３１の下方でゴルフクラブ同士が絡まることを防止できる。
【００５５】
（実施の形態４）
図６には、本考案の実施の形態４に係るゴルフ用キャディバッグ１３を示す。図６では図２と同様にゴルフ用キャディバッグの外側面に設けられる外装材を省略している。ゴルフ用キャディバッグ１３は、胴部材２０と、胴部材２０内に配される２つの仕切面材３０である第１仕切面材３１と、第２仕切面材３２と、底部材５０を有する。なお、実施の形態３のゴルフ用キャディバッグ１２と同様の構成要素には同一の番号を付し、その説明を省略する。
【００５６】
図６では、２つの仕切面材３１，３２が胴部材２０の内側面２０ａと接続されている。第１仕切面材３１の短手方向（Ｙ軸方向）における一方端部は、胴部材２０の内側面２０ａと接合部４５ａで接続されており、第１仕切面材３１の短手方向における他方端部は第２仕切面材３２の幅方向における中央部と接合部４０で接続されている。また、第２仕切面材３２の短手方向（Ｘ軸方向）における一方端部、他方端部は、それぞれ胴部材２０の内側面２０ａと接合部４５ｂ，４５ｃで接続されている。このように、第１仕切面材３１および第２仕切面材３２は、胴部材２０の内側面２０ａに固定されて一定の張力が付与されるため、幅方向における胴部材２０の弛みや縮みを防止できる。このため、仕切面材３０と胴部材２０の内側面との間に生じる隙間にゴルフクラブが挟まることを防止できる。
【００５７】
以上が本考案を実施するための形態であるが、本考案はもとより上記実施形態によって制限を受けるものではなく、本考案の趣旨に適合し得る範囲で適当に変更を加えて実施することも勿論可能であり、それらはいずれも本考案の技術的範囲に包含される。
【符号の説明】
【００５８】
１０，１１，１２，１３：ゴルフ用キャディバッグ
１５：外装材
２０：胴部材
３０：仕切面材
３１：第１仕切面材
３２：第２仕切面材
３３：第３仕切面材
５０：底部材
６０：接続部材
７０：弾性部材
【図１】
0003195447.tif 000003
【図２】
0003195447.tif 000004
【図５】
0003195447.tif 000005
【図６】
0003195447.tif 000006
【図３】
0003195447.tif 000007
【図４】
0003195447.tif 000008